(57)【特許請求の範囲】
【請求項１】
タンク（１）の内部に隔壁（11）が立設して、タンク内に外部からの吸水が送入される吸水槽（１Ａ）と、タンク内から外部へ水が排出される排水槽（１Ｂ）とに分割されている一方、
前記吸水槽（１Ａ）には仕切板（11Ａ）が立設しており、この仕切板（11Ａ）を介して吸水第一領域（11ａ）および吸水第二領域（12ａ）に少なくとも上部で連通しつつ分割され、かつ、前記排水槽（１Ｂ）には水封型の真空ポンプ（２）から吐出される排水を浴びる邪魔板（11Ｂ）が配設しており、
前記真空ポンプ（２）に前記タンク（１）の吸水第二領域（12ａ）から封水を補給可能な補給パイプ（21）と、この真空ポンプ（２）から吐出された排水をタンク（１）の排水槽（１Ｂ）に戻す排水パイプ（22）と、タンク（１）の排水槽（１Ｂ）から真空ポンプ（２）に封水を再び戻す循環パイプ（23）とがそれぞれ連結されて構成されるとともに、
タンク（１）内における少なくとも水流の生じる位置に固形の消泡剤（５）が設置された水封型真空ポンプを用いて、コンクリートを養生する方法であって、
打設した未硬化のコンクリート表面（Ｃ）に、下面に多数の孔部が形成される有孔マット（３）を敷設して、当該コンクリート表面（Ｃ）に密着せしめる一方、
この有孔マット（３）に吸水ホース（４）を接続して前記タンク（１）に連結し、
真空ポンプ（２）を作動して、コンクリート表面（Ｃ）に浮いたブリーディング水を前記有孔マット（３）の孔部から吸収し、
前記タンク（１）内において、外部から送入される吸水および真空ポンプ（２）から吐出される排水の少なくとも一方を前記消泡剤（５）に接触通過させつつ封水を循環せしめることによって、真空ポンプ（２）に補給する封水の減少を抑制して、ポンプ真空度の低下を防止することを特徴とするコンクリート養生方法。
【請求項２】
消泡剤（５）をタンク（１）の仕切板（11Ａ）の上端部分に配設し、タンク（１）に外部から送入された吸水が仕切板（11Ａ）の上端をオーバーフローする際に、消泡剤（５）に接触通過させることを特徴とする請求項１記載のコンクリート養生方法。
【請求項３】
消泡剤（５）をタンク（１）の仕切板（11Ａ）の下端部分に配設し、タンク（１）に外部から送入された吸水が仕切板（11Ａ）の下端から吸水第二領域（12ａ）に流入する際に、消泡剤（５）に接触通過させることを特徴とする請求項１記載のコンクリート養生方法。
【請求項４】
消泡剤（５）をタンク（１）の邪魔板（12Ｂ）に配設し、真空ポンプ（２）から吐出された排水を消泡剤（５）に浴びせて接触通過させることを特徴とする請求項１〜３の何れか一つに記載のコンクリート養生方法。
【請求項５】
消泡剤（５）を０．５〜１０ｍｍの孔部を有する透水性容器に保持して配置することを特徴とする請求項１〜４の何れか一つに記載のコンクリート養生方法。
【請求項６】
融点４０℃以上の固形の消泡剤（５）を用いることを特徴とする請求項１〜５の何れか一つに記載のコンクリート養生方法。
【発明の詳細な説明】
【技術分野】
【０００１】
本発明は、土木建築技術の改良、更に詳しくは、界面活性剤濃度が高く、かつ、少量のブリーディング水しか生じないコンクリートであっても、水封型真空ポンプの高い吸引力を維持してブリーディング水を確実に吸収することができるコンクリート養生方法に関するものである。
【背景技術】
【０００２】
コンクリートを打設すると、表面に余剰なブリーディング水が浮いてくる。このブリーディング水は、コンクリート表層のワーカビリチーを大きくし、硬化後に水分が乾燥することにより、ブリーディング水があった場所が空隙となって表層強度が弱くなってしまうことから、真空ポンプを使用してコンクリートの表層を圧密し、ブリーディング水を脱水する工法がある（例えば、特許文献１および２参照）。
【０００３】
通常、コンクリートには、コンクリートの流動性を高めたり、微細な空気泡を導入するために、高性能ＡＥ減水剤や流動化剤などとして界面活性剤成分が１ｍ３当たりに３〜４ｋｇ程度配合されている。
【０００４】
建築用のコンクリートの場合、軟練りで調合時の単位水量（１ｍ３当たりの水）が多く、真空脱水作業においても排水は１ｍ２当たり１リットル程度と排水量も多いため、界面活性剤濃度は低くなる。
【０００５】
一方、土木用のコンクリートの場合、練り混ぜ水（単位水量）が少ないために、排水量が建築用コンクリートの１／３程度と少なくなることから、排水中の界面活性剤濃度は高くなる。
【０００６】
ところで、前述したコンクリート表層からブリーディング水を脱水する目的としては、真空を得ることができるいろいろなタイプの真空ポンプがあるが、水分の影響を最も受けにくい「水封型真空ポンプ」を用いることが好ましい。
【０００７】
一般的に、水封型真空ポンプは、清浄な水をポンプ内で循環させて減圧するものであるが、この工法に使用される場合には、高性能のろ過マットを使用しても、作業環境および作業方法により、セメントの粒子やコンクリート成分の砂などが夾雑物として不可避的に混入して排出されるため、循環水にはこうした粒子や水に溶解している界面活性剤成分が含まれてしまう。
【０００８】
そして、水封型真空ポンプは、タンク内の水の一部をポンプに誘導し、ケーシング内でロータが回転することによって水膜を作って真空状態を得る構造であるところ、タンク内の界面活性剤の濃度が高くなった水が真空ポンプ内で水封されると、真空ポンプ内でロータの回転により封水が高速で剪断されるために、循環水に気泡が多く発生してしまうという問題がある。
【０００９】
したがって、ブリーディング水量が少なくて界面活性剤濃度が高い土木用コンクリートに施工する場合は、気泡の発生が顕著であり、無負荷運転中でもポンプ内で発生した気泡が徐々に排水口から排出されてしまう。この気泡は元々タンク内の水分であるから、水分が失われていることになる。
【００１０】
こうしてタンク内の水分が失われて少なくなると、更にタンク内の水温が上昇しやすくなり、水封用の循環水も気泡化してしまい、ますますポンプの排気効率が悪くなり、所定の真空度が得られなくなって十分な吸水ができなくなり、不良なコンクリート表面になって適正な養生が実現できないという問題がある。
【先行技術文献】
【特許文献】
【００１１】
【特許文献１】特開平７−３０５５０９号公報
【特許文献２】特開平１１−１１７５３０号公報
【発明の概要】
【発明が解決しようとする課題】
【００１２】
本発明は、従来のコンクリート養生技術に上記のような問題があったことに鑑みて為されたものであり、その目的とするところは、界面活性剤濃度が高く、かつ、少量のブリーディング水しか生じないコンクリートであっても、水封型真空ポンプの高い吸引力を維持してブリーディング水を確実に吸収することができるコンクリート養生方法を提供することにある。
【課題を解決するための手段】
【００１３】
本発明者が上記技術的課題を解決するために採用した手段を、添付図面を参照して説明すれば、次のとおりである。
【００１４】
即ち、本発明は、タンク１の内部に隔壁11が立設して、タンク内に外部からの吸水が送入される吸水槽１Ａと、タンク内から外部へ水が排出される排水槽１Ｂとに分割されている一方、
前記吸水槽１Ａには仕切板11Ａが立設しており、この仕切板11Ａを介して吸水第一領域11ａおよび吸水第二領域12ａに少なくとも上部で連通しつつ分割され、かつ、前記排水槽１Ｂには水封型の真空ポンプ２から吐出される排水を浴びる邪魔板11Ｂが配設しており、
前記真空ポンプ２に前記タンク１の吸水第二領域12ａから封水を補給可能な補給パイプ21と、この真空ポンプ２から吐出された排水をタンク１の排水槽１Ｂに戻す排水パイプ22と、タンク１の排水槽１Ｂから真空ポンプ２に封水を再び戻す循環パイプ23とがそれぞれ連結されて構成されるとともに、
タンク１内における少なくとも水流の生じる位置に固形の消泡剤５が設置された水封型真空ポンプを用いて、コンクリートを養生する方法であって、
打設した未硬化のコンクリート表面Ｃに、下面に多数の孔部が形成される有孔マット３を敷設して、当該コンクリート表面Ｃに密着せしめる一方、
この有孔マット３に吸水ホース４を接続して前記タンク１に連結し、
真空ポンプ２を作動して、コンクリート表面Ｃに浮いたブリーディング水を前記有孔マット３の孔部から吸収し、
前記タンク１内において、外部から送入される吸水および真空ポンプ２から吐出される排水の少なくとも一方を前記消泡剤５に接触通過させつつ封水を循環せしめることによって、真空ポンプ２に補給する封水の減少を抑制して、ポンプ真空度の低下を防止するという技術的手段を採用したことによって、コンクリート養生方法を完成させた。
【００１５】
また、本発明は、上記課題を解決するために、必要に応じて上記手段に加え、消泡剤５をタンク１の仕切板11Ａの上端部分に配設し、タンク１に外部から送入された吸水が仕切板11Ａの上端をオーバーフローする際に、消泡剤５に接触通過させるという技術的手段を採用することができる。
【００１６】
更にまた、本発明は、上記課題を解決するために、必要に応じて上記手段に加え、消泡剤５をタンク１の仕切板11Ａの下端部分に配設し、タンク１に外部から送入された吸水が仕切板11Ａの下端から吸水第二領域12ａに流入する際に、消泡剤５に接触通過させるという技術的手段を採用することもできる。
【００１７】
更にまた、本発明は、上記課題を解決するために、必要に応じて上記手段に加え、消泡剤５をタンク１の邪魔板12Ｂに配設し、真空ポンプ２から吐出された排水を消泡剤５に浴びせて接触通過させるという技術的手段を採用することもできる。
【００１８】
更にまた、本発明は、上記課題を解決するために、必要に応じて上記手段に加え、消泡剤５を０．５〜１０ｍｍの孔部を有する透水性容器に保持して配置するという技術的手段を採用することもできる。
【００１９】
更にまた、本発明は、上記課題を解決するために、必要に応じて上記手段に加え、融点４０℃以上の固形の消泡剤５を用いるという技術的手段を採用することもできる。
【発明の効果】
【００２０】
本発明は、タンク内における少なくとも水流の生じる位置に固形の消泡剤が設置された水封型真空ポンプを用いて、
打設した未硬化のコンクリート表面に、下面に多数の孔部が形成される有孔マットを敷設して、当該コンクリート表面に密着せしめる一方、この有孔マットに吸水ホースを接続して前記タンクに連結し、真空ポンプを作動して、コンクリート表面に浮いたブリーディング水を前記有孔マットの孔部から吸収し、前記タンク内において、外部から送入される吸水および真空ポンプから吐出される排水の少なくとも一方を前記消泡剤に接触通過させつつ封水を循環せしめることによって、
真空ポンプに補給する封水の減少を抑制して、ポンプ真空度の低下を防止することができる。
【００２１】
したがって、本発明のコンクリート養生方法によれば、界面活性剤濃度が高く、かつ、少量のブリーディング水しか生じないコンクリートであっても、水封型真空ポンプの高い吸引力を維持してブリーディング水を確実に吸収することができる。
【００２２】
また、タンク内の排水の気泡を消滅させることにより、真空ポンプ内を循環する水が「水」の状態となり、無負荷運転時には外部の空気によりタンク内が効率的に冷やされるために連続運転ができ、新たな水の補給も不要になることから、産業上の利用価値は頗る大きい。
【図面の簡単な説明】
【００２３】
【図１】本発明の実施形態のコンクリート養生方法を表わす全体概略図である。
【図２】本発明の実施形態のコンクリート養生方法に用いる真空ポンプの構成を表わす説明上面図である。
【図３】本発明の実施形態のコンクリート養生方法に用いる真空ポンプのタンク内を表わす説明側面図である。
【図４】本発明の実施形態のコンクリート養生方法に用いる真空ポンプのタンク内を表わす説明側面図である。
【図５】本発明の実施形態のコンクリート養生方法に用いる真空ポンプのタンク内の変形例を表わす説明側面図である。
【発明を実施するための形態】
【００２４】
本発明の実施形態を図１から図５に基づいて説明する。図中、符号１で指示するものはタンクであり、符号２で指示するのは真空ポンプ、符号３で指示するものは有孔マット、符号４で指示するものは吸水ホース、符号５で指示するものは消泡剤である。
【００２５】
まず、本発明のコンクリート養生方法に使用する真空ポンプの構成について説明する。本実施形態における真空ポンプは「水封型」であって、タンク内の水の一部をポンプに誘導し、ケーシング内でロータが回転することによって水膜を作って真空状態を得る構造である。
【００２６】
このタンク１の構造は、タンク１の内部に隔壁11が立設して、タンク内に外部からの吸水が送入される吸水槽１Ａと、タンク内から外部へ水が排出される排水槽１Ｂとに分割されている。
【００２７】
また、前記吸水槽１Ａには仕切板11Ａが立設しており、この仕切板11Ａを介して吸水第一領域11ａおよび吸水第二領域12ａに少なくとも上部で連通しつつ分割されている。この際、図３に示すように、上部から吸水がオーバーフローするようにのみ構成することもできるし、下部を開閉式または常時連通するように構成することもできる。なお、この仕切板11Ａは水の勢いを止めて、真空計に汚れた水が入らないようにする目的も果たしている。
【００２８】
そして、前記排水槽１Ｂには水封型の真空ポンプ２から吐出される排水を浴びる邪魔板11Ｂが配設している。この邪魔板11Ｂは水の勢いを止めて、水の飛散や無駄な泡立ち等を防止することができる。
【００２９】
更に、前記真空ポンプ２に前記タンク１の吸水第二領域12ａから封水を補給可能な補給パイプ21と、この真空ポンプ２から吐出された排水をタンク１の排水槽１Ｂに戻す排水パイプ22と、タンク１の排水槽１Ｂから真空ポンプ２に封水を再び戻す循環パイプ23とがそれぞれ連結されている。
【００３０】
そして、タンク１内における少なくとも水流の生じる位置に固形の消泡剤５が設置されている。この消泡剤５には液状のものもあるが、真空運転中に新たな排水がタンクに吸引されるので添加方法とコントロールが大掛かりになって現場的ではないために、固形の消泡剤を採用する。
【００３１】
なお、真空ポンプは、冬季の低温時では水温が３０℃程度であるが、夏期になると５０℃程度にまで上昇することがあるため、高温でも安定的に使用できるようにするために、本実施形態では、融点４０℃以上（より好ましくは５０℃以上）の固形の消泡剤５を用いる。
【００３２】
また、消泡剤５を支持する容器は、水と容易に接触することができることが必要であるため、本実施形態では、消泡剤５を０．５〜１０ｍｍの孔部を有する透水性容器に保持して配置する。この透水性容器は、目の粗い網やエキスパンドメタルなどが良い。目が粗すぎると熱によって溶けた消泡剤５がタンク１の中に落下してしまい、夾雑物が付着して覆われてしまう。逆に、目が細かすぎると容器の網目に夾雑物が詰まってしまい効果を発揮しないからである。なお、消泡剤５が溶けたものの落下防止（メルトスルー）の措置が施されていれば、保持容器の上面は開口していても良い。
【００３３】
そして、少なくとも水流の生じる位置に消泡剤５を配置する。本工法の場合のような夾雑物を含む排水液は、水が静かな状態であると消泡剤５の表面に被膜を作りやすいが、水流に直接接していればそのような現象はなく、常に新しい消泡剤の表面と接触することになるため、消泡剤が確実に溶解するために消泡効果の低下がない。
【００３４】
なお、透水性容器（保持容器）の固定方法は、フックを設けて板の上端に掛止することもできるし（図３および図４参照）、直接溶接したり、磁石を用いるなど、種々の手段を採用することができる。
【００３５】
次に、こうして構成された水封型真空ポンプを用いて、コンクリートを養生する方法を以下に説明する。まず、打設した未硬化のコンクリート表面Ｃに、下面に多数の孔部が形成される有孔マット３を敷設して、当該コンクリート表面Ｃに密着せしめる。本実施形態におけるコンクリートは、主として、練り混ぜ水が少ないために排水量が少なく（１ｍ２当たり１／３リットル以下）、排水中の界面活性剤濃度が高い土木用のコンクリートである。
【００３６】
また、本実施形態における有孔マット３は、例えば、表面に直径約０．８ｍｍの貫通孔を１０ｍｍ間隔で設けた塩化ビニル製シートを採用することができる。
【００３７】
そして、この有孔マット３に吸水ホース４を接続して前記タンク１に連結し、真空ポンプ２を作動して、コンクリート表面Ｃに浮いたブリーディング水を前記有孔マット３の孔部から吸収する。
【００３８】
この際、前記タンク１内において、外部から送入される吸水および真空ポンプ２から吐出される排水（の少なくとも一方）を前記消泡剤５に接触通過させつつ封水を循環せしめる。本実施形態では、図２〜図４に示すように、吸水槽１Ａおよび排水槽１Ｂの両方で消泡剤５に接触通過させる。
【００３９】
具体的には、図３に示すように、消泡剤５を保持容器に収容してタンク１の仕切板11Ａの上端部分に配設し（ここではフックを採用する）、タンク１に外部から送入された吸水が仕切板11Ａの上端をオーバーフローする際に、消泡剤５に接触通過させる。
【００４０】
また、図４に示すように、消泡剤５を透水性容器に収容してタンク１の邪魔板12Ｂに配設し、真空ポンプ２から吐出された排水を消泡剤５に浴びせて接触通過させることもできる。
【００４１】
こうすることによって、循環する水の泡立ちを確実に防止することができるので、真空ポンプ２に補給する封水の減少を抑制して、ポンプ真空度の低下を防止することができ、確実な真空脱気により、強固なコンクリート表面を形成することができるのである。
【００４２】
なお、本実施形態では、タンク１の吸水槽１Ａにおける仕切板11Ａの下端側も連通している場合に、図５に示すように、消泡剤５をタンク１の仕切板11Ａの下端部分に配設し、タンク１に外部から送入された吸水が仕切板11Ａの下端から吸水第二領域12ａに流入する際に、消泡剤５に接触通過させることもできる。
【００４３】
＜第１実施例＞
消泡剤（信越化学社製、品番：Ｘ−５０―１１１０Ｇ、白色固体、消泡能力１５０ｍｌ／１０ｍｉｎ、融点５３℃）を２ｍｍ目の網製のかご（透水性容器）に入れ、水流を受ける位置に設置して真空ポンプを運転した。タンク内で流れる水に接しているため、網目が夾雑物で塞がれることもなく、熱で柔らかくなった消泡剤も網目から落ちることもなく１日８時間の運転中確実に消泡効果を示した。
【００４４】
＜第２実施例＞
消泡剤（信越化学社製、品番：Ｘ−５０―１１１０Ｇ）を底部に２ｍｍ金網を敷いた１０ｍｍ目のエキスパンドメタル製のかご（透水性容器）に入れ、水流を受ける位置に設置して真空ポンプを運転した。この場合も、タンク内で流れる水に接しているため、網目が夾雑物で塞がれることもなく、熱で柔らかくなった消泡剤も網目から落ちることもなく１日８時間の運転中確実に消泡効果を示した。
【００４５】
本発明は、概ね上記のように構成されるが、図示の実施形態に限定されるものでは決してなく、「特許請求の範囲」の記載内において種々の変更が可能であって、例えば、消泡剤５の設置位置は、タンク１内における少なくとも水流の生じる位置であれば、変更することができる。
【００４６】
また、消泡剤５を保持するための透水性容器の使用も、孔部を有しているものであれば、織物や編物、不織布、樹脂製ネットなどのメッシュ部材や樹脂製の網部材などを採用することができる。
【００４７】
更にまた、タンク１の吸水槽１Ａにおける仕切板11Ａは１枚に限らず、水流の強弱を調節するために複数設けることもでき、また、形状も適宜変更することができ、これら何れのものも本発明の技術的範囲に属する。
【符号の説明】
【００４８】
１    タンク
11    隔壁
１Ａ  吸水槽
11Ａ  仕切板
11ａ  吸水第一領域
12ａ  吸水第二領域
１Ｂ  排水槽
11Ｂ  邪魔板
２    真空ポンプ
21    補給パイプ
22    排水パイプ
23    循環パイプ
３    有孔マット
４    吸水ホース
５    消泡剤
Ｃ    コンクリート表面
【図１】
0006375529.tif 000002
【図２】
0006375529.tif 000003
【図３】
0006375529.tif 000004
【図４】
0006375529.tif 000005
【図５】
0006375529.tif 000006